(57)【要約】【課題】  燃焼後の残存物の回収や廃棄処理が容易であり、第三者災害を防止し、路面や排水施設の損傷等を防止する。【解決手段】  本発明は、薬包体２と、薬包体２内に充填された燃焼薬剤５と、燃焼薬剤５に着火するために設けられた着火薬６と、薬包体２の外部において着火薬６に点火するために設けられた点火薬７とを備えた炎管１であって、薬包体２は可燃性の材質製であり、燃焼薬剤５には、結合剤として天然樹脂系の物質が含有されていることを特徴とする。【選択図】  図１ 
2005128915.tif 000002
【特許請求の範囲】
【請求項１】
薬包体と、該薬包体内に充填された燃焼薬剤と、該燃焼薬剤に着火するために設けられた着火薬と、前記薬包体の外部において前記着火薬に点火するために設けられた点火薬とを備えた炎管であって、
前記薬包体は可燃性の材質製であり、前記燃焼薬剤には、結合剤として天然樹脂系の物質が含有されていることを特徴とする炎管。
【請求項２】
前記点火薬を覆うように前記薬包体に着脱自在に設けられたキャップと、
前記薬包体を所要姿勢に保持可能なように前記薬包体に設けられた姿勢保持部材と、
をさらに備え、前記キャップと前記姿勢保持部材がいずれも可燃性の材質からできている請求項１に記載の炎管。
【請求項３】
前記薬包体は円筒状を成し、前記姿勢保持部材は前記薬包体の外周に設けられた転がり止めであり、該転がり止めは、前記薬包体が路面に接触しないように複数設けられている請求項２に記載の炎管。
【発明の詳細な説明】
【技術分野】
【０００１】
本発明は、燃焼後に燃えかすが固形化しない信号炎管等の炎管に関する。
【背景技術】
【０００２】
一般に、高速道路上等において、車両事故が発生した場合や道路工事を行う場合、周囲を走行する車の運転者にそのことを報知するために信号炎管が用いられている。
【０００３】
信号炎管には、燃焼薬剤が充填された円筒状の薬包体と、該薬包体の頂部側に設けられた着火薬と、前記薬包体の外側頂部に設けられた点火薬とが設けられており、前記燃焼薬剤には、ポリエステル樹脂系の結合剤が含有されている。そして、前記薬包体の頂部には前記点火薬を覆うように合成樹脂製のキャップが着脱自在に設けられ、該キャップの外側端面には擦り薬が塗布された擦り付け紙が貼着されている。また、前記薬包体の底部には合成樹脂製の自立保持部材が設けられ、さらに、該自立保持部材の外周には合成樹脂製の転がり止めが設けられている。
【０００４】
このような構成において、前記信号炎管を燃焼させる場合、前記キャップを前記薬包体から取り外し、前記擦り薬で前記点火薬をこすり、前記薬包体を、前記自立保持部材により自立させるか、或いは、前記薬包体の先端部を路面に接触させると共に前記転がり止めを介して前記薬包体の基端部を路面から浮かせて、横臥する。そうすると、該点火薬が発火して燃焼し、その燃焼が前記着火薬に伝播し、さらに前記燃焼薬剤に伝播し、該燃焼薬剤が燃焼する。そして、該燃焼薬剤の燃焼により前記薬包体の頂部から赤色炎が発生する。
（例えば、特許文献１参照）。
【０００５】
【特許文献１】特開平１１−２９６７５３号公報
【発明の開示】
【発明が解決しようとする課題】
【０００６】
しかしながら、上記した従来の信号炎管等の炎管では、前記燃焼薬剤にポリエステル樹脂系の結合剤が含有されており、さらに、前記キャップや自立保持部材及び転がり止めが合成樹脂製のため、燃焼後にそれらの物質が固形化した状態で残存する。そのため、その残存物の回収や廃棄処理に手間やコストが掛かるといった問題があった。また、残存物の回収が完全になされずに、道路上に放置された場合に、その残存物上を車両が通過したりすると、固形化した残存物が飛散し、第三者災害を引き起こしたり、路面を損傷したり、或いは、道路の排水溝を閉塞させたりするおそれがあった。
【０００７】
本発明は、上記した課題を解決すべくなされたものであり、燃焼後の残存物の回収や廃棄処理が容易であり、第三者災害を防止し、路面や排水施設の損傷等を防止することのできる炎管を提供するものである。
【課題を解決するための手段】
【０００８】
本発明は、薬包体と、該薬包体内に充填された燃焼薬剤と、該燃焼薬剤に着火するために設けられた着火薬と、前記薬包体の外部において前記着火薬に点火するために設けられた点火薬とを備えた炎管であって、前記薬包体は可燃性の材質製であり、前記燃焼薬剤には、結合剤として天然樹脂系の物質が含有されていることを特徴とする。
【０００９】
好ましくは、前記点火薬を覆うように前記薬包体に着脱自在に設けられたキャップと、前記薬包体を所要姿勢に保持可能なように前記薬包体に設けられた姿勢保持部材とをさらに備え、前記キャップと前記姿勢保持部材がいずれも可燃性の材質からできている。
【００１０】
また、前記薬包体は円筒状を成し、前記姿勢保持部材は前記薬包体の外周に設けられた転がり止めであり、該転がり止めは、前記薬包体が路面に接触しないように複数設けられていてもよい。
【発明の効果】
【００１１】
本発明によれば、燃えかすが固形化しないため、燃えかすの回収や廃棄処理が容易となり、第三者災害を防止し、路面や排水施設の損傷を防止することができる等、種々の優れた効果を得ることができる。
【発明を実施するための最良の形態】
【００１２】
以下、図面を参照しつつ、本発明の実施の形態について説明する。なお、以下の説明では、信号炎管を例に挙げて説明する。
【００１３】
図１はその信号炎管の平面図であり、図２はその断面図である。この信号炎管１には、円筒状で厚紙製の薬包体２が設けられ、薬包体２の開口頂部及び開口底部はそれぞれ円形状で厚紙製の蓋材３，４により閉塞され、薬包体２の外周には化粧用に薄紙（図示せず）が螺旋状に貼付されている。薬包体２の内部には、燃焼薬剤５が充填され、燃焼薬剤５には、硝酸ストロンチウム、硫黄、過塩素酸カリウム等の赤火薬と、結合剤及び湿気防止剤が含有されている。結合剤としては、好ましくは、フィブリン、プロポリス、セラック等の天然樹脂系の物質が使用され、湿気防止剤としては、好ましくは、ステアリン酸が使用されている。
【００１４】
薬包体２の頂部側には、着火薬６が設けられ、着火薬６の頂部は蓋材３に嵌設している。着火薬６には、過塩素酸カリウム、炭酸ストロンチウム、マグナリウム、及び結合剤等が含有されており、結合剤としてはフェノール樹脂が使用されている。
【００１５】
着火薬６の頂部には半球状の点火薬７が外部に突出するように設けられており、薬包体２にはその点火薬７を覆うようにキャップ８が着脱自在に設けられている。キャップ８は厚紙製で有天円筒状を成し、外周は化粧用の薄紙で覆われており、外側端面には擦り薬が塗布された擦り付け紙９が貼着されている。
【００１６】
また、薬包体２の外周には厚紙製の転がり止め１０が２個設けられている。転がり止め１０は、図３に示されているように、正方形状を成し、中央に丸穴１１が穿設され、丸穴１１には薬包体２が貫設可能となっている。
【００１７】
次に、この信号炎管１の作用について説明する。
【００１８】
キャップ８を薬包体２から取り外し、擦り付け紙９の擦り薬で点火薬７をこすり、薬包体２を転がり止め１０を介して路面に対して平行に浮かせた状態で横臥させる。そうすると、点火薬７が発火して燃焼し、その燃焼が着火薬６に伝播し、さらに燃焼薬剤５に伝播し、該燃焼薬剤５が燃焼し、燃焼薬剤５の燃焼により薬包体２の頂部から赤色炎が発生する。この時、薬包体２は路面に平行に浮いた状態で保持されているので、燃焼中の赤色炎の路面への衝突を軽減できる。したがって、燃焼中の熱による路面の損傷を軽減することができ、また、効率良く燃焼することができる。
【００１９】
そして、燃焼開始後、所定時間が経過すると、燃焼薬剤５の燃焼が停止し、路面上に燃えかすが残存する。この時、薬包体２、蓋材３，４、キャップ８、擦り付け紙９、及び転がり止め１０が紙製であり、さらに、結合剤として天然樹脂系の物質が使用されているため、燃えかすは固形化することがなく、人間の体重程度の踏み圧で容易に押し潰すことができる。したがって、燃えかすの回収や廃棄処理が容易となり、それらの処理に要するコストの低減化が図れる。また、例え、燃えかすの回収が完全になされずに、道路上に放置されたとしても、燃えかすの飛散により、第三者災害を引き起こしたり、路面を損傷したり、或いは、道路の排水溝を閉塞させたりするおそれはない。
【００２０】
なお、上記実施の形態では、薬包体２、蓋材３，４、キャップ８、擦り付け紙９、及び転がり止め１０が紙製となっているが、これは単なる例示に過ぎず、可燃性の材質であれば、木、でんぷん等他の材質であってもよい。
【００２１】
また、転がり止め１０の設置数は、２個に限定されるものではなく、複数であれば３個以上であってもよい。さらに、転がり止め１０に限らず、薬包体２を路面上で自立した状態に保持する部材等、可燃性の材質製の他の姿勢保持部材を設けてもよい。
【００２２】
さらにまた、本発明は、信号炎管に限らず、着火剤、サーチライト等の他の用途の炎管にも適用可能である。
【図面の簡単な説明】
【００２３】
【図１】本発明の実施の形態に係る炎管を示す平面図である。
【図２】本発明の実施の形態に係る炎管を示す断面図である。
【図３】本発明の実施の形態における転がり止めを示す平面図である。
【符号の説明】
【００２４】
１          信号炎管
２          薬包体
５          燃焼薬剤
６          着火剤
７          点火薬
１０          転がり止め
【図１】
2005128915.tif 000003
【図２】
2005128915.tif 000004
【図３】
2005128915.tif 000005